(57)【要約】【課題】  液晶表示パネルが小型化・薄型化されて、液晶表示パネル駆動用ＦＰＣの折り曲げ半径がより小さくなり液晶表示パネルが浮き上がること、そして光学的不具合が発生するのを防止することにある。【解決手段】  液晶表示パネル駆動用フレキシブルプリント基板を接続する接続部を有する液晶表示パネルと、液晶表示パネルの下側からＬＥＤ光源を導光拡散させて照明するための部材を有したバックライトと、液晶表示パネル及びバックライトを収納する略箱状のバックライトケースとからなり、バックライトケースの箱状の周囲で、複数の立ち壁を備えて少なくとも１つが未形成の開放された開口部を有し、立ち壁のうち相対する立ち壁の開口部側一端それぞれに形成した屋根形状（浮き防止用押え部）を設け、屋根形状により、液晶表示パネルにおける液晶表示パネル駆動用ＦＰＣの接続部の端部を押圧し固定する。【選択図】  図２
2007304306.tif 000002
【特許請求の範囲】
【請求項１】
少なくとも、
液晶表示パネル駆動用フレキシブルプリント基板（以下、液晶表示パネル駆動用ＦＰＣと呼ぶ）を接続する接続部を有する液晶表示パネルと、
前記液晶表示パネルの下側からＬＥＤ光源を導光拡散させて照明するための部材を有したバックライトと、
前記液晶表示パネル及び前記バックライトを収納する略箱状のバックライトケースとからなり、
前記略箱状バックライトケースの周囲で、複数の立ち壁を備えて少なくとも１つが未形成の開放された開口部を有し、前記立ち壁のうち前記開口部側一端それぞれに形成した浮き防止用押え部を設け、
前記浮き防止用押え部により、前記液晶表示パネルにおける、前記液晶表示パネル駆動用ＦＰＣとの接続部を押圧し固定することを特徴とする液晶表示パネルの固定構造。
【発明の詳細な説明】
【技術分野】
【０００１】
本発明は、携帯電話機等に使用されている液晶表示パネルの固定構造に関し、特に液晶表示パネル及びこれの照明を行うバックライトの固定構造に関する。
【背景技術】
【０００２】
従来から、小型の液晶表示パネルを備える液晶表示装置は、表示部として使用されている。この液晶表示パネル（例えば、ＴＦＴ方式の液晶表示パネル）をバックライト上に配置してなる液晶表示装置は、表示機器の小型化、例えば、携帯電話機などの移動体通信機等に使用される際、液晶表示装置自体がその表示領域の外周に位置する非表示領域の幅を狭くして狭額縁化されてきた。
【０００３】
ここで  図４乃至図６を参照して、従来の液晶表示装置について説明する。
図４は、携帯電話機などの表示部として使用される従来の液晶表示装置の概略構造を示す展開斜視図である。図５は、従来の液晶表示パネルとバックライトが固定された状態を示す正面図である。図６は、図５に示すＡ−Ａ切断線に沿った断面構造で、液晶表示パネル駆動用ＦＰＣの状態を示す断面を示し、（ａ）は浮き上がる前、（ｂ）は浮き上がった後の断面図である。
図４に示すように、従来の液晶表示装置は、バックライト１０に、液晶表示パネル３を積層し構成される。即ち、液晶表示パネル３と、光学シート６ａとの間に遮光両面テープ４を密着固定させ、液晶表示パネル３がバックライト１０に固定される構造を採るのが、一般的である。バックライト１０は、図６（ａ）に示すように、ＬＥＤ光源８とこれからの光を入光し導光して、液晶表示パネル３に射出する導光板９と、この導光板９の下面側に配置された反射シート７と、光を拡散集光させる光学シート６とから構成され、これらの部材をバックライトケース１ｂに収容する。又、図５に示すように、液晶表示パネル３の一辺側には、液晶表示パネル３の駆動用ＦＰＣ２の一端が接続され、この液晶表示パネル駆動用ＦＰＣ２は、液晶表示パネル３の一辺の近傍で折り曲げられて、他端がバックライトケース１ｂの裏面に配置されている。液晶表示パネル３のバックライトケース１ｂ内での固定方法としては、嵌合用のケース（不図示）で液晶表示パネル３を嵌合し固定する方法が採られている。
【０００４】
又、その固定方法として、特許文献１の図１に、次のような液晶表示装置が開示されている。即ち、周囲に立ち壁を設けた箱状のバックライトに、液晶表示板を挿入する為のスリット状の挿入穴を一側面に、そして、相対する立ち壁のそれぞれに液晶表示板１が浮き上がるのを防止するための浮き防止リブを設け、挿入穴から液晶表示板をスライドさせてバックライト内に実装固定し、浮き防止リブで挟持する。
近年、上記で説明した液晶表示装置については、より薄型化が強く要求されている。
【特許文献１】特開平０９−１２７４９０号公報（図１）
【発明の開示】
【発明が解決しようとする課題】
【０００５】
上記で説明した液晶表示装置の構造について、次のような問題点があった。
即ち、一般的な液晶表示装置の場合、図５に示すように、液晶表示パネル駆動用ＦＰＣ２は、一端が液晶表示パネル３の一辺に接続され、液晶表示パネル３の一辺の近傍で折り曲げられて、他端がバックライトケース１ｂの裏面に配置される。従って、液晶表示装置の薄型化を図るために、バックライト１０を薄型化すれば、液晶表示パネル駆動用ＦＰＣ２の折り曲げ半径が小さくなる。この折り曲げにより、図６（ａ）に示すように、液晶表示パネル駆動用ＦＰＣ２の強い反発力が発生する。この反発力が大きくなると、液晶表示パネル３をバックライト１０に固定している遮光両面テープ４を引き剥がそうとする応力、あるいは、液晶表示パネル駆動用ＦＰＣ２の一端部に対する引き剥がし応力が大きくなる。
【０００６】
そして、液晶表示パネル３をバックライト１０に固定している遮光両面テープ４から引き剥がそうとする応力が、遮光両面テープ４の接着強度よりも大きくなると、図６（ｂ）に示すように、液晶表示パネル３がバックライト１０から浮き上がってしまうという課題があった。さらに、ＬＥＤ光源８を搭載したバックライトＦＰＣ５は、遮光両面テープ４に張り付いた状態で引っ張られて導光板９から剥がれる結果、ＬＥＤ光源８と導光板９の相互の位置関係がずれてしまい、輝線や目玉等の光学的不具合が発生するという課題があった。
【０００７】
又、液晶表示パネル駆動用ＦＰＣ２の浮きを防止する対策として、上記で説明した嵌合用ケースで液晶表示パネルを嵌合させること、又特許文献１の浮き防止リブ等の構造により、防止していた。しかしながら、特許文献１に示す浮き防止リブの厚さや嵌合用ケースの厚さ分が、液晶表示装置を厚くしてしまい、小型化、薄型化、ひいては液晶表示装置のコストを押し上げてしまうという課題があった。
【０００８】
本発明は、上記課題を解決するためになされたもので、本発明の目的は、液晶表示装置がさらに小型化・薄型化され、液晶表示パネル駆動用ＦＰＣの折り曲げ半径がより小さくなり液晶表示パネルが浮き上がること、そして、光学的不具合が発生するのを防止できる液晶表示パネルの固定構造を提供することにある。
また、本発明の目的は、液晶表示装置がさらに小型化・薄型化され、液晶表示パネル駆動用ＦＰＣの折り曲げ半径がより小さくなっても液晶表示パネルが浮き上がることなく低コスト化された液晶表示パネルの固定構造を提供することにある。
【課題を解決するための手段】
【０００９】
本発明による液晶表示パネルの固定構造は、液晶表示パネル駆動用ＦＰＣを接続する接続部を有する液晶表示パネルと、前記液晶表示パネルの下側からＬＥＤ光源を導光拡散させて照明するための部材を有したバックライトと、前記液晶表示パネル及び前記バックライトを収納する略箱状のバックライトケースとからなり、前記バックライトケースの箱状の周囲で、複数の立ち壁を備えて少なくとも１つが未形成の開放された開口部を有し、前記立ち壁のうち前記開口部側一端それぞれに形成した浮き防止用押え部を設け、前記浮き防止用押え部により、前記晶表示パネルにおける、前記液晶表示パネル駆動用ＦＰＣとの接続部を押圧し固定することを特徴とする。
【発明の効果】
【００１０】
本発明によれば、液晶表示パネル駆動用ＦＰＣが配置される側の、相対する立ち壁それぞれの上端部に形成した浮き防止用押え部（屋根形状）により、液晶表示パネルを固定するので、液晶表示パネルが浮き上がること、又、光学的不具合が発生するのを防止できる。
【００１１】
そして、この浮き防止用押え部により押圧し固定される、液晶表示パネルにおける液晶表示パネル駆動用ＦＰＣとの接続部は、液晶表示パネルの総厚よりガラス１枚分薄く形成されている。この為、このガラス１枚分薄い空白部に収納する浮き防止用押え部をバックライトケースに形成することができる。さらに、板金等で形成された嵌合用ケース等の別部品により固定する必要性がないので、低コスト化が図られた液晶表示装置が実現できる効果がある。
【発明を実施するための最良の形態】
【００１２】
液晶表示パネル駆動用ＦＰＣを接続する液晶表示パネルと、略箱状のバックライトケース内に、液晶表示パネルの下側からＬＥＤ光源を導光拡散させて照明するための部材とを有したバックライトからなり、液晶表示パネルとバックライトとは遮光両面テープにより密着固定されて、略箱状に形成されたバックライトケース内に収容される。バックライトケースは、周囲に立ち壁を形成し１つが未形成の開放された開口部を有し、液晶表示パネル駆動用ＦＰＣを配置する未形成の開口部側で、相対する立ち壁の上端部それぞれに屋根形状を形成し、この屋根形状により、液晶表示パネルにおける液晶表示パネル駆動用ＦＰＣの接続部を押圧し、固定する。
次に、本発明に係る液晶表示装置の液晶表示パネルの固定構造について、図面を参照して詳細に説明する。
【実施例１】
【００１３】
図１は、本発明に係る液晶表示装置の概略の構造を示す展開斜視図である。図２は、液晶表示パネルとバックライトが固定された状態を示す正面図である。図３は、図２に示すＡ−Ａ切断線による断面構造を示す断面図である。
【００１４】
図１に示すように、液晶表示装置は、その一端が外部と電気的接続する液晶表示パネル駆動用ＦＰＣ２を介して画像を表示する液晶表示パネル３と、この液晶表示パネル３の下側に位置する、ＬＥＤ光源８を導光拡散させて照明するための部材を有したバックライト１０と、これらを収容する略箱状のバックライトケース１ａとから構成される。液晶表示パネル３とバックライト１０とは遮光両面テープ４により密着固定されており、遮光両面テープ４は、液晶表示パネル３とバックライト１０を構成する光学シート６とを固定する為のテープである。即ち、図１に示すように、光学シート６、導光板９、反射シート７をバックライトケース１ａに収納後、バックライトケース１ａの内部に設けられた受け部１７に遮光両面テープ４を貼り付けて光学シート６ａを固定させている。尚、遮光両面テープ自体の厚さがほぼ50μｍ〜85μｍであり、薄型化に適している。
【００１５】
液晶表示パネル３は、ガラス基板（光学部材）１３ａ，１３ｂが接着剤を介して貼りあわされて積層され、この２つのガラス基板１３ａ，１３ｂとの間に液晶が封入され形成される。そして、下部のガラス基板１３ｂの一端には液晶表示パネル駆動用ＦＰＣ２を接続するための接続部１４が設けられている。
液晶表示パネル３に接続する液晶表示パネル駆動用ＦＰＣ２が設けられる開口部１６側の、バックライトケース１ａの相対する立て壁１５の上端部２箇所それぞれに、屋根形状（浮き防止用押え部）１１が形成されている。
【００１６】
バックライト１０は、図３に示すように、上位に位置するＬＥＤ光源８とこれからの光を入光し導光して、発光面エリア１２から液晶表示パネル３に射出する導光板９と、光を拡散集光させる光学シート６と、導光板９の下面側に配置された反射シート７と、遮光両面テープ４とから構成される。光学シート６は、三種の光学シート６ａ、６ｂ、６ｃからなり、導光板９を通ったＬＥＤ光源８からの光を拡散、集光させる為のシートである。反射シート７は、導光板９を通ったＬＥＤ光源８の光を反射させ導光板９の出射面９ａ側に出射させる機能を有する。そして、液晶表示パネル３と光学シート６ａとの間に遮光両面テープ４を密着固定し、このバックライト１０に液晶表示パネル３が固定される。
【００１７】
図５に示す従来の液晶表示装置と相違する点は、図２に示すように、バックライトケース１ａにおいて、相対する立ち壁１５それぞれの上端部に形成した屋根形状１１を設けている点にある。
【００１８】
まず、図２及び図３を参照して、このバックライトケース１ａにバックライト１０が固定されて液晶表示パネル３が収容される状態について、説明する。
図２に示すように、略箱状のバックライトケース１ａの周囲は、少なくとも１つが未形成の開口部１６側と３つの立ち壁１５が形成され、相対する立ち壁１５それぞれの上端部に形成した屋根形状１１を設ける。そして、液晶表示パネル駆動用ＦＰＣ２を接続した液晶表示パネル３を、下部側に位置させて開口部１６側方向にスライドさせながら、接続部１４の両端部を屋根形状１１に挟み込む。この屋根形状１１により液晶表示パネル駆動用ＦＰＣ２を接続する接続部１４の両端部が押圧され、液晶表示パネル３における液晶表示パネル駆動用ＦＰＣの接続部１４が固定される。屋根形状１１の形状としては略三角形状や四角形状があり、又、その材質としては、樹脂（ＰＣ）や板金（ＳＵＳ等）で形成できる。  
【００１９】
ここで、バックライトケース１ａに収容された状態の液晶表示パネル３の発光面エリア１２と、バックライトケース１ａの立ち壁１５の高さ方向の上面１５ａと略同一面としている点について、図３を参照して説明する。
図３に示すように、液晶表示パネル駆動用ＦＰＣ２と接続するための接続部１４が設けられているが、液晶表示パネル３のガラス基板１３ｂ上の、発光面エリア１２でない、液晶表示パネル駆動用ＦＰＣ２が接続される接続部１４については、ガラス基板１３ａを省略して、空白部（不図示）が設けられる。そして、このガラス基板１３ａ１枚分薄くした状態で設けた接続部１４上の空白部に屋根形状１１が収納できるよう屋根形状１１の形状、高さとするよう構成する。即ち、そのガラス基板１３ａ１枚分の厚さの空白部を利用し、これと略同じ厚さの屋根形状１１を形成することができるという点にある。
【００２０】
以上説明したように、左右相対する立ち壁１５の開放部１６側でそれぞれの上端部に、形成した屋根形状１１を設ける。そして、この屋根形状１１により、液晶表示パネル３の接続部１４の両端部を押圧し固定するので、液晶表示パネル３が浮き上がることを防止できる。これにより、ＬＥＤ光源５と導光板９の相互位置がずれることがなくなり、輝線や目玉現象等の光学的不具合が発生するのを防止できる。
【００２１】
又、液晶表示パネル３の上端部の、発光面エリア１２よりガラス基板１３ａの１枚分薄く形成されている空白部に、厚さがガラス基板１３ａと略同じ屋根形状１１を収納した状態で、屋根形状１１により液晶表示パネル３を固定する。即ち、バックライト１０や液晶表示パネル３を収容するバックライトケース１ａの立ち壁１５の高さ方向の上面と、液晶表示パネル３の発光面エリア１２と略同一面にすることにより、小型化・薄型化が可能となる。又、板金等で形成された嵌合用ケース等の別部品による固定の必要性がないので、液晶表示パネル３が浮き上がることのない低コスト化が図られた液晶表示装置が実現できる。
【図面の簡単な説明】
【００２２】
【図１】図１は、本発明に係る液晶表示装置の概略の構造を示す展開斜視図である。（実施例１）
【図２】図２は、液晶表示パネルとバックライトが固定された状態を示す正面図である。（実施例１）
【図３】図３は、図２に示すＡ−Ａ切断線による断面構造を示す断面図である。        （実施例１）
【図４】図４は、従来の液晶表示装置の概略構造を示す展開斜視図である。
【図５】図５は、従来の液晶表示装置の正面図である。
【図６】図６は、図５に示すＡ−Ａ切断線に沿った断面図で、（ａ）は液晶表示パネル駆動用ＦＰＣが浮き上がる前、（ｂ）浮き上がった後の断面図である。
【符号の説明】
【００２３】
１ａ，１ｂ    バックライトケース
２    液晶表示パネル駆動用ＦＰＣ
３      液晶表示パネル
４      遮光両面テープ
５      バックライトＦＰＣ
６，６ａ，６ｂ，６ｃ    光学シート
７      反射シート
８      ＬＥＤ光源
９      導光板
９ａ    導光板の出射面
１０    バックライト  
１１    屋根形状（浮き防止用押え部）
１２    発光面エリア  
１３ａ  ガラス基板
１３ｂ  ガラス基板
１４    接続部
１５    立ち壁
１５ａ  立ち壁の高さ方向の上面
１６    開口部
１７    受け部。
【図１】
2007304306.tif 000003
【図２】
2007304306.tif 000004
【図３】
2007304306.tif 000005
【図４】
2007304306.tif 000006
【図５】
2007304306.tif 000007
【図６】
2007304306.tif 000008